(57)【要約】      （修正有）【課題】内部に設置されたクッション材を透視できるゴルフクラブヘッドを提供する。【解決手段】側に開口を有する収容部が形成されるヘッド本体１０と、該ヘッド本体の開口に設けられるフェイス１２とを有し、ヘッド本体に該収容部と連通する少なくとも１つの貫通孔１３，１４が形成されるゴルフクラブヘッドであって、該ヘッド本体の開口と反対する側に該収容部と連通する透視窓１１１が形成されると共に、該透視窓に透明部材１１２が設けられることを特徴とする。【選択図】図１
0003133829.tif 000002
【実用新案登録請求の範囲】
【請求項１】
一側に開口を有する収容部が形成されるヘッド本体と、該ヘッド本体の開口に設けられるフェイスとを有し、ヘッド本体に該収容部と連通する少なくとも１つの貫通孔が形成されるゴルフクラブヘッドであって、
該ヘッド本体の開口と反対する側に該収容部と連通する透視窓が形成されると共に、該透視窓に透明部材が設けられることを特徴とするゴルフクラブヘッド。
【請求項２】
前記貫通孔がヘッド本体の下側に形成されることを特徴とする請求項１に記載のゴルフクラブヘッド。
【請求項３】
前記貫通孔がヘッド本体の後側に形成されることを特徴とする請求項１に記載のゴルフクラブヘッド。
【請求項４】
前記収容部の空間はヘッド本体の全ての内部空間であることを特徴とする請求項２又は３に記載のゴルフクラブヘッド。
【請求項５】
前記収容部の後側に更に少なくとも１つの通気孔が形成されることを特徴とする請求項４に記載のゴルフクラブヘッド。
【考案の詳細な説明】
【技術分野】
【０００１】
本考案は、特に内部に設置されたクッション材を透視する可能なゴルフクラブヘッドに関するものである。
【背景技術】
【０００２】
従来のゴルフクラブヘッドは、内部に収容部が形成されるヘッド本体を有し、該ヘッド本体の一側にフェイスが取付けられる。又、該ゴルフクラブヘッドにクッション効果を追加するために、前記収容部にクッション材が注入されている。
【０００３】
前記従来のゴルフクラブヘッドにクッション材を注入する方式は２つあり、１つ目はクッション材をモールドによって収容部とやや等しい寸法に製造した後、該クッション材を収容部に入り込み、更にフェイスをヘッド本体に取付ける方法である。２つ目は収容部の壁に注入孔が形成され、フェイスをヘッド本体に取付けた後、先ず接着剤を注入孔から収容部に注入し、続いてクッション材を収容部に注入する方法である。
【０００４】
又、本願の出願人は、その後、前記従来のゴルフクラブヘッドより優れたクッション効果を有するゴルフクラブヘッドが案出されていた。このゴルフクラブヘッドは、台湾特許第１２４６９３４号又は図１２に示すように、フェイス（６０）が溶接手段などによりヘッド本体（５０）に取付けられた後、注入孔（５９）から所定の重さを有するクッション材（例えばポリウレタン（ＰＵ）、両液型発泡クッション材、又は粒状、粉状の固体クッション材）を収容部（５２）に注入させ、収容部（５２）における空気が該収容部（５２）の周囲に形成される通気溝（５４２）と溝（５４４）を介して排気孔（５８２）から外側へ排出するので、優れたクッション効果を有するゴルフクラブヘッドを製造できる。
【考案の開示】
【考案が解決しようとする課題】
【０００５】
しかしながら、前記従来のゴルフクラブヘッドは、クッション材を収容部（５２）に注入する際、該クッション材の注入状態が見えないので、該クッション材が確実に収容部（５２）に充満するか否か判断できず、クッション材が該収容部（５２）に充満しないと、優れたクッション効果を達成できないという問題があった。
【０００６】
そこで、案出されたのが本考案であって、内部に設置されたクッション材を透視する可能なゴルフクラブヘッドを提供することを目的としている。
【課題を解決するための手段】
【０００７】
本願の請求項１の考案は、一側に開口を有する収容部が形成されるヘッド本体と、該ヘッド本体の開口に設けられるフェイスとを有し、ヘッド本体に該収容部と連通する少なくとも１つの貫通孔が形成されるゴルフクラブヘッドであって、  
該ヘッド本体の開口と反対する側に該収容部と連通する透視窓が形成されると共に、該透視窓に透明部材が設けられることを特徴とするゴルフクラブヘッド、を提供する。
【０００８】
本願の請求項２の考案は、前記貫通孔がヘッド本体の下側に形成されることを特徴とする請求項１に記載のゴルフクラブヘッド、を提供する。
【０００９】
本願の請求項３の考案は、前記貫通孔がヘッド本体の後側に形成されることを特徴とする請求項１に記載のゴルフクラブヘッド、を提供する。
【００１０】
本願の請求項４の考案は、前記収容部の空間はヘッド本体の全ての内部空間であることを特徴とする請求項２又は３に記載のゴルフクラブヘッド、を提供する。
【００１１】
本願の請求項５の考案は、前記収容部の後側に更に少なくとも１つの通気孔が形成されることを特徴とする請求項４に記載のゴルフクラブヘッド、を提供する。
【考案の効果】
【００１２】
本考案は上記の課題を解決するものであり、ヘッド本体の一側に該ヘッド本体の収容部と連通する透視窓が形成され、該透視窓に透明部材が設けられ、該透明部材を介して収容部に注入したクッション材を透視できるので、クッション材の注入状態を判断できる。
【考案を実施するための最良の形態】
【００１３】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１４】
図１は本考案に係るゴルフクラブヘッドの第１実施例の斜視図であり、図２は本考案に係るゴルフクラブヘッドの第１実施例の分解斜視図であり、図３は本考案に係るゴルフクラブヘッドの第１実施例の加工状態を示す分解斜視図であり、図４は本考案に係るゴルフクラブヘッドの第１実施例の断面図であり、図５は本考案に係るゴルフクラブヘッドの第２実施例の断面図であり、図６は本考案に係るゴルフクラブヘッドの第３実施例の断面図であり、図７は本考案に係るゴルフクラブヘッドの第２実施例の斜視図であり、図８は本考案に係るゴルフクラブヘッドの第３実施例の斜視図であり、図９は本考案に係るゴルフクラブヘッドの第４実施例の断面図であり、図１０は本考案に係るゴルフクラブヘッドの第４実施例を示す斜視図であり、図１１は本考案に係るゴルフクラブヘッドの第５実施例を示す斜視図である。
【００１５】
図１乃至図４に示すように、本考案に係るゴルフクラブヘッドの第１実施例は、一側に開口を有する収容部（１１）が形成されるヘッド本体（１０）と、該ヘッド本体（１０）の開口に設けられるフェイス（１２）と、を有し、該ヘッド本体（１０）における開口と反対する側に該収容部（１１）と連通する透視窓（１１１）が形成されると共に、下側に夫々該収容部（１１）と連通する貫通孔（１３）（１４）が形成される。
【００１６】
前記ヘッド本体（１０）の窓（１１１）に封閉プレート（４１）が設けられ、射出機械の注射部材（１３１）を収容部（１１）の貫通孔（１３）に設置させ、該注射部材（１３１）から収容部（１１）にクッション材（２０）を注入し、又、クッション材（２０）を収容部（１１）に注入する際、該収容部（１１）における空気が他の貫通孔（１４）に設けられる排気部材（１４１）を介してヘッド本体（１０）の外側へ排出される。
【００１７】
前記クッション材（２０）が収容部（１１）の内部に確実に充満した後、該封閉プレート（４１）、注射部材（１３１）及び排気部材（１４１）を取り外し、該貫通孔（１３）（１４）を封止部材（３０）により封閉させる。
【００１８】
又、前記ヘッド本体（１０）の収容部（１１）における透視窓（１１１）に透明部材（１１２）が設けられる。使用者は、該透明部材（１１２）を通じて収容部（１１）におけるクッション材（２０）を透視することができる。
【００１９】
又、図５及び図７に示すように、本考案に係るゴルフクラブヘッドの第２実施例は、前記第１実施例と殆ど等しく、異なるのは、ヘッド本体（１０）の後側に該収容部（１１）と連通する貫通孔（１３Ａ）（１４Ａ）が夫々形成されることにより、前記実施例と等しい効果を達成できる。
【００２０】
図６及び図８に示すように、本考案に係るゴルフクラブヘッドの第３実施例は、前記第１実施例と殆ど等しく、異なるのは、収容部（１１）の空間はヘッド本体（１０）における全ての内部空間であり、又、収容部（１１）の後側に更に少なくとも１つの通気孔（１５）が形成されることにより、前記実施例と等しい効果を達成できる。
【００２１】
又、図９、図１０に示すように、本考案に係るゴルフクラブヘッドの第４実施例は、前記第３実施例と殆ど等しく、異なるのは、ヘッド本体（１０）の後側に該収容部（１１）と連通する貫通孔（１３Ａ）（１４Ａ）が夫々形成されることにより、前記実施例と等しい効果を達成できる。
【００２２】
図１１に示すように、本考案に係るゴルフクラブヘッドの第５実施例は、その収容部にクッション材を注入した後、該収容部における空気が通気孔（１５）を介してヘッド本体（１０）の外側へ排出することができる。
【産業上の利用可能性】
【００２３】
本考案は上記の構成を有し、ヘッド本体の一側に該ヘッド本体の収容部と連通する透視窓が形成され、該透視窓に透明部材が設けられ、該透明部材を介して収容部に注入したクッション材を透視できるので、クッション材の注入状態を判断できる。
【図面の簡単な説明】
【００２４】
【図１】本考案に係るゴルフクラブヘッドの第１実施例の斜視図である。
【図２】本考案に係るゴルフクラブヘッドの第１実施例の分解斜視図である。
【図３】本考案に係るゴルフクラブヘッドの第１実施例の加工状態を示す分解斜視図である。
【図４】本考案に係るゴルフクラブヘッドの第１実施例の断面図である。
【図５】本考案に係るゴルフクラブヘッドの第２実施例の断面図である。
【図６】本考案に係るゴルフクラブヘッドの第３実施例の断面図である。
【図７】本考案に係るゴルフクラブヘッドの第２実施例の斜視図である。
【図８】本考案に係るゴルフクラブヘッドの第３実施例の斜視図である。
【図９】本考案に係るゴルフクラブヘッドの第４実施例の断面図である。
【図１０】本考案に係るゴルフクラブヘッドの第４実施例を示す斜視図である。
【図１１】本考案に係るゴルフクラブヘッドの第５実施例を示す斜視図である。
【図１２】従来のゴルフクラブヘッドを示す分解斜視図である。
【符号の説明】
【００２５】
１０        ヘッド本体
１１        収容部
１１１      透視窓
１１２      透明部材
１２        フェイス
１３        貫通孔
１３１      注射部材
１３Ａ      貫通孔
１４        貫通孔
１４Ａ      貫通孔
１４１      排気部材
１４１１    排気孔
１５        通気孔
２０        クッション材
３０        封止部材
４１        封閉プレート
５０        ヘッド本体
５２        収容部
５４２      通気溝
５４４      溝
５８２      排気孔
５９        注入孔
６０        フェイス
【図１】
0003133829.tif 000003
【図２】
0003133829.tif 000004
【図３】
0003133829.tif 000005
【図４】
0003133829.tif 000006
【図５】
0003133829.tif 000007
【図６】
0003133829.tif 000008
【図７】
0003133829.tif 000009
【図８】
0003133829.tif 000010
【図９】
0003133829.tif 000011
【図１０】
0003133829.tif 000012
【図１１】
0003133829.tif 000013
【図１２】
0003133829.tif 000014